(57)【要約】【課題】ドライバにおける注意散漫の状態を適確に区別して、適切な態様でのアクチュエーションの実施に寄与するドライバ状態判定装置等の提供。【解決手段】状態判定装置３０は、ドライバの状態を判定するドライバ状態判定装置として機能する。車両Ａには、ドライバの覚醒度を高めるアクチュエーションの態様を、ドライバの状態に応じて変更可能な状態誘導装置７０が搭載されている。状態判定装置３０は、ドライバの脇見状態を示した脇見情報と、ドライバの覚醒度を示した覚醒度情報とを取得し、これらの情報に基づき、覚醒度が低下していない場合の脇見を興味本位による脇見と判定する。また状態判定装置３０は、脇見情報及び覚醒度情報に基づき覚醒度の低下している場合の脇見を退屈による脇見と判定する。興味本位による脇見か退屈による脇見であるかを示す判定結果は、状態誘導装置７０へ向けて出力される。【選択図】図３
2018013811.tif 000002
【特許請求の範囲】
【請求項１】
ドライバの覚醒度を高めるアクチュエーションの態様を当該ドライバの状態に応じて変更可能なアクチュエーション機能部（７０，２７０）を搭載した車両（Ａ）にて、前記ドライバの状態を判定するドライバ状態判定装置であって、
前記ドライバの脇見状態を示した脇見情報を取得する脇見情報取得部（３１，３５）と、
前記ドライバの覚醒度を示した覚醒度情報を取得する覚醒度情報取得部（３３，３６）と、
前記脇見情報及び前記覚醒度情報に基づき、覚醒度が低下していない場合の脇見を興味本位による脇見と判定し、覚醒度の低下している場合の脇見を退屈による脇見と判定する判定部（３７）と、
興味本位による脇見か退屈による脇見であるかを示す判定結果を、前記アクチュエーション機能部へ向けて出力する出力部（３８）と、
を備えるドライバ状態判定装置。
【請求項２】
前記覚醒度情報取得部は、前記車両に入力された運転操作の操作情報に基づいて前記ドライバの覚醒度の低下を判定することで、前記覚醒度情報を取得する請求項１に記載のドライバ状態判定装置。
【請求項３】
前記車両には、前記ドライバによる運転操作を支援又は代行可能な自動運転機能が搭載されており、
前記自動運転機能の作動状態を示した作動情報を取得する作動情報取得部（３２，２３２）、をさらに備える請求項２に記載のドライバ状態判定装置。
【請求項４】
前記覚醒度情報取得部は、前記自動運転機能が作動している場合に、覚醒度の低下判定への前記操作情報の使用を中断する請求項３に記載のドライバ状態判定装置。
【請求項５】
前記脇見情報取得部は、
前記ドライバが脇見をしているか否かを判定することで前記脇見情報を取得し、
前記自動運転機能が作動している場合には、前記ドライバが脇見状態であると判定する判定基準を緩和する請求項３又は４に記載のドライバ状態判定装置。
【請求項６】
ドライバの覚醒度を高めるアクチュエーションの態様を当該ドライバの状態に応じて変更可能なアクチュエーション機能部（７０，２７０）を搭載した車両（Ａ）にて、前記ドライバの状態を判定するドライバ状態判定プログラムであって、
前記ドライバの脇見状態を示した脇見情報を取得するステップ（Ｓ１０１）と、
前記ドライバの覚醒度を示した覚醒度情報を取得するステップ（Ｓ１０６）と、
前記脇見情報及び前記覚醒度情報に基づき、覚醒度が低下していない場合の脇見を興味本位による脇見と判定し、覚醒度の低下している場合の脇見を退屈による脇見と判定するステップ（Ｓ１０７，Ｓ１０８）と、
興味本位による脇見か退屈による脇見であるかを示す判定結果を、前記アクチュエーション機能部へ向けて出力するステップ（Ｓ１０９）と、
を少なくとも一つのプロセッサ（３０ｂ，２１０ｂ）に実行させるドライバ状態判定プログラム。
【発明の詳細な説明】
【技術分野】
【０００１】
この明細書による開示は、ドライバの状態を判定するドライバ状態判定装置、及びドライバ状態判定プログラムに関する。
【背景技術】
【０００２】
従来、ドライバの状態として例えば覚醒度の低下を判定し、ドライバの覚醒度を高めるアクチュエーションを実施する技術が知られている。例えば特許文献１に開示の覚醒維持装置は、ドライバの眠気レベルが低下した状態で、眠気に関連付けられたドライバの動作、生体信号、及び車両挙動等をさらに検出した場合に、覚醒効果のある刺激をドライバに付与する。このように、ドライバの主観やフィーリングと一致するタイミングで覚醒効果のある刺激を与えることにより、ドライバは、違和感なく刺激を受け入れることができる。
【先行技術文献】
【特許文献】
【０００３】
【特許文献１】特許第４５１８０８３号公報
【発明の概要】
【発明が解決しようとする課題】
【０００４】
さて、本開示の発明者は、覚醒度の低下したドライバが眠気状態又は漫然状態に陥る前に、注意散漫な状態となることに着目した。このような注意散漫な状態では、ドライバに脇見が生じ易くなる。そのため本開示の発明者は、脇見に基づいて注意散漫な状態を判定し、ドライバの覚醒度を高めるアクチュエーションを実施することを想到した。
【０００５】
こうした技術の開発過程において、注意散漫な状態の脇見にも、覚醒度が比較的維持された状態での興味本位による脇見と、覚醒度が比較的低下した状態での退屈による脇見とがあることを、新たに見出した。しかし、特許文献１には、注意散漫な状態を検出する技術も、注意散漫な状態での脇見を判別する技術も、何ら開示されていない。このように注意散漫な状態での脇見を判別できない場合、注意散漫な状態で脇見をしたドライバに対するアクチュエーションは、同一の内容とならざるを得なかった。
【０００６】
その結果、興味本位による脇見をしたドライバには、アクチュエーションによる刺激が強すぎてしまい、過覚醒状態までドライバの意識が引き上げられてしまう虞があった。一方で、退屈による脇見をしたドライバには、アクチュエーションによる刺激が不足し、正しく運転が可能な状態までドライバの意識を回復させることが困難となり得た。
【０００７】
本開示は、上記問題点に鑑みてなされたものであり、その目的は、ドライバにおける注意散漫の状態を適確に区別して、適切な態様でのアクチュエーションの実施に寄与する技術を提供することにある。
【課題を解決するための手段】
【０００８】
上記目的を達成するため、開示された一つの態様は、ドライバの覚醒度を高めるアクチュエーションの態様を当該ドライバの状態に応じて変更可能なアクチュエーション機能部（７０，２７０）を搭載した車両（Ａ）にて、ドライバの状態を判定するドライバ状態判定装置であって、ドライバの脇見状態を示した脇見情報を取得する脇見情報取得部（３１，３５）と、ドライバの覚醒度を示した覚醒度情報を取得する覚醒度情報取得部（３３，３６）と、脇見情報及び覚醒度情報に基づき、覚醒度が低下していない場合の脇見を興味本位による脇見と判定し、覚醒度の低下している場合の脇見を退屈による脇見と判定する判定部（３７）と、興味本位による脇見か退屈による脇見であるかを示す判定結果を、アクチュエーション機能部へ向けて出力する出力部（３８）と、を備えるドライバ状態判定装置とされる。
【０００９】
また、開示された他の一つの態様は、ドライバの覚醒度を高めるアクチュエーションの態様を当該ドライバの状態に応じて変更可能なアクチュエーション機能部（７０，２７０）を搭載した車両（Ａ）にて、ドライバの状態を判定するドライバ状態判定プログラムであって、ドライバの脇見状態を示した脇見情報を取得するステップ（Ｓ１０１）と、ドライバの覚醒度を示した覚醒度情報を取得するステップ（Ｓ１０６）と、脇見情報及び覚醒度情報に基づき、覚醒度が低下していない場合の脇見を興味本位による脇見と判定し、覚醒度の低下している場合の脇見を退屈による脇見と判定するステップ（Ｓ１０７，Ｓ１０８）と、興味本位による脇見か退屈による脇見であるかを示す判定結果を、アクチュエーション機能部へ向けて出力するステップ（Ｓ１０９）と、を少なくとも一つのプロセッサ（３０ｂ，２１０ｂ）に実行させるドライバ状態判定プログラムとされる。
【００１０】
これらの態様では、注意散漫となったドライバが脇見を行った場合に、脇見情報と覚醒度情報とが組み合わされることにより、興味本位による脇見と退屈による脇見とが判別される。このような脇見の判定結果がアクチュエーション装置に出力されれば、アクチュエーション装置は、アクチュエーションの態様変更により、ドライバの覚醒度を適確に高めることができる。したがって、ドライバ状態判定装置又はドライバ状態判定プログラムは、ドライバにおける注意散漫の状態を適確に判定し、適切な態様でのアクチュエーションの実施に寄与できる。
【００１１】
尚、上記括弧内の参照番号は、後述する実施形態における具体的な構成との対応関係の一例を示すものにすぎず、技術的範囲を何ら制限するものではない。
【図面の簡単な説明】
【００１２】
【図１】第一実施形態によるアクチュエーションシステムを含む車載機器の全体像を示すブロック図である。
【図２】ドライバ覚醒度の状態管理の概念を模式的に示す図である。
【図３】状態判定装置に構築される機能ブロックを示す図である。
【図４】状態判定装置によって実施される注意散漫度判定処理の詳細を示すフローチャートである。
【図５】状態誘導装置に構築される機能ブロックを示す図である。
【図６】状態誘導装置によって実施される誘導判定処理の詳細を示すフローチャートである。
【図７】ドライバの視線を誘導する第一アクチュエーションの一例を示す図である。
【図８】ドライバの視線と意識を共に誘導する第二アクチュエーションの一例を示す図である。
【図９】ドライバの意識を誘導する第三アクチュエーションの一例を示す図である。
【図１０】各アクチュエーションの特徴を比較して示す図である。
【図１１】第二実施形態によるアクチュエーション装置を含む車載機器の全体像を示すブロック図である。
【図１２】アクチュエーション装置に構築される機能ブロックを示す図である。
【図１３】第三実施形態の状態判定装置に構築される機能ブロックを示す図である。
【発明を実施するための形態】
【００１３】
以下、本開示の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。そして、複数の実施形態及び変形例に記述された構成同士の明示されていない組み合わせも、以下の説明によって開示されているものとする。
【００１４】
（第一実施形態）
本開示の第一実施形態による図１のアクチュエーションシステム１０は、状態判定装置３０及び状態誘導装置７０等によって構成されている。アクチュエーションシステム１０は、車両Ａのドライバへ向けたアクチュエーションにより、ドライバの覚醒度を高めることで、ドライバの運転状態を正しい状態に誘導する。
【００１５】
ドライバの覚醒度は、図２に示すように、長時間の運転による疲労や単調な運転操作の継続等により、運転に適した状態から外れることがある。例えば、ドライバの覚醒度が低下すると、漫然状態又は強い眠気のある状態となる。また、ドライバの覚醒度が過度に高められると、ドライバの覚醒度は、イライラ及び焦りを感じて運転に集中困難な過覚醒状態となる。さらに、覚醒度の低下によって漫然状態に陥る以前には、ドライバは、注意散漫な状態となる。以下説明する図１のアクチュエーションシステム１０は、主に注意散漫な状態となったドライバの意識を適切に回復させることにより、ドライバを過覚醒状態にすることなく、運転に適した覚醒状態に誘導する。
【００１６】
アクチュエーションシステム１０は、ドライバモニタシステム１１、車載装置群１３、ウェアラブルデバイス１９、自動運転ＥＣＵ２０、表示器８０、音声出力器８５、及び触覚提示器８７等と共に車両Ａに搭載されている。
【００１７】
図１及び図３に示すドライバモニタシステム１１は、車内カメラ１２及び制御ユニット等によって構成されている。車内カメラ１２は、例えば近赤外光源を有する近赤外線カメラである。車内カメラ１２は、運転席側に撮像方向を向けた姿勢で、車両Ａの車室内に設置されている。車内カメラ１２は、近赤外光源によって近赤外光を照射されたドライバの顔を撮影する。制御ユニットは、車内カメラ１２によって撮像された画像を解析することにより、ドライバの視線方向、顔向き方向、及び開眼度等を検出する。ドライバモニタシステム１１は、検出したこれらの情報を状態判定装置３０に逐次提供する。
【００１８】
車載装置群１３は、車両Ａに搭載された多数の制御装置及び多数のセンサ等を含んでいる。車載装置群１３は、一例として、車両Ａの車速、操舵角、ブレーキ操作量、ターンシグナルの作動状態、加速度、前走車との車間距離、走行中の道路の形状、及び並走する周辺車両の相対位置等の情報を検出する。車載装置群１３は、検出した各種の情報を状態判定装置３０に逐次提供する。
【００１９】
ウェアラブルデバイス１９は、ドライバに装着されることにより、ドライバの生体信号を検出可能な機器である。ウェアラブルデバイス１９は、一例として、着用されたドライバの心拍数及び体温等の情報を検出する。ウェアラブルデバイス１９は、検出した情報を無線通信によって状態判定装置３０へ逐次提供する。尚、ウェアラブルデバイス１９は、ドライバの手首に装着される腕時計型の機器であってもよく、又はドライバの顔に装着されるメガネ型の機器であってもよい。
【００２０】
自動運転ＥＣＵ（Electronic Control Unit）２０は、ＣＰＵ、ＲＡＭ、及びＲＯＭを有するコンピュータを主体に構成されている。自動運転ＥＣＵ２０は、車両Ａの走行計画の策定し、策定した走行計画に従って車両Ａの制御系を制御することにより、ドライバの運転操作を支援又は代行可能である。自動運転ＥＣＵ２０には、例えば自動運転開始ボタンが接続されている。ドライバ等の搭乗者による自動運転開始ボタンへの入力に基づき、自動運転ＥＣＵ２０は、自動運転機能の作動状態を、オフ状態（以下、「手動運転モード」）からオン状態（以下、「自動運転モード」）に切り替える。自動運転ＥＣＵ２０は、自動運転機能の作動状態、即ち自動運転モードか手動運転モードかを示した作動情報を、自動運転ＥＣＵ２０及び状態誘導装置７０に逐次提供可能である。尚、例えば道路の形状及び周辺車両の相対位置等、車載装置群１３から状態判定装置３０に提供される情報の少なくとも一部は、車載装置群１３からではなく、自動運転ＥＣＵ２０から状態判定装置３０に提供されてもよい。
【００２１】
図１に示す表示器８０、音声出力器８５、及び触覚提示器８７は、車両Ａに係る種々の情報を、ドライバを含む車両Ａの搭乗車へ向けて提示する構成である。これらの構成は、車両Ａに予め搭載された構成であってもよく、又はドライバ等の搭乗者によって車室内に持ち込まれることにより、車両Ａに一時的に搭載される構成であってもよい。
【００２２】
表示器８０は、表示面に表示させた画像及びアイコン等の表示物により、ドライバ等の視覚を通じて情報を提示する（図１０参照）。表示器８０には、例えばセンターディスプレイ８１、ヘッドアップディスプレイ８２、ルームミラーモニタ８３、及びミラーインジケータ８４が含まれている（図７参照）。
【００２３】
センターディスプレイ８１は、インスツルメントパネルの上面中央に配置されている。センターディスプレイ８１は、表示面に種々の画像をカラー表示させる。ヘッドアップディスプレイ８２は、ウインドシールドに区画された投影領域８２ａに光を投影することにより、前景に虚像を重畳表示させる。ルームミラーモニタ８３は、車室内に設けられた後写鏡と一体的に形成されている。ルームミラーモニタ８３は、後写鏡の反射面に種々の画像をカラー表示させる。ミラーインジケータ８４は、車両Ａの左右のドアに設置された車体外後写鏡と一体的に形成されている。ミラーインジケータ８４は、車体外後写鏡の反射面に所定形状のアイコンを発光表示させる。
【００２４】
音声出力器８５は、車室内に再生させる報知音又は音声メッセージ等により、ドライバ等の聴覚を通じて情報を提示する（図１０参照）。音声出力器８５は、複数のスピーカを有している。複数のスピーカは、ドライバを囲む配置にて車室内に設置されている。音声出力器８５は、音を出力するスピーカを複数のうちから選択することにより、報知音又は音声メッセージ等を任意の方向からドライバに聞かせることができる。尚、音声出力器８５に用いられるスピーカは、例えばドライバのみに聞こえる指向性をもった音を出力可能な構成であってもよい。
【００２５】
触覚提示器８７は、ドライバと接触する部位を振動又は変位等させることにより、ドライバに触覚を通じて情報を提示する（図１０参照）。触覚提示器８７は、例えばステアリングホイールのリム部分に埋め込まれたステア振動部と、運転席の座面又はバックレスト等に埋め込まれたシート振動部を有している。加えて触覚提示器８７は、例えば車両Ａの前後左右に姿勢変化するアクティブフットレスト等を有していてもよい。
【００２６】
次に、状態判定装置３０及び状態誘導装置７０の構成を順に説明する。
【００２７】
図１及び図３に示す状態判定装置３０は、ドライバの状態を判定し、判定によって取得した判定結果を状態誘導装置７０に提供する。状態判定装置３０には、状態判定処理部３０ａが設けられている。状態判定処理部３０ａは、ＣＰＵ３０ｂ、ＲＡＭ３０ｃ、及びメモリ３０ｄ等を有するマイクロコンピュータを主体に構成された電子回路である。メモリ３０ｄは、ＣＰＵ３０ｂによる情報の読み取りが可能な非遷移的実体的記録媒体(non-transitory tangible storage medium)である。ＣＰＵ３０ｂは、メモリ３０ｄに記憶された種々のプログラムを実行可能である。
【００２８】
状態判定装置３０は、メモリ３０ｄに記憶された状態判定プログラムをＣＰＵ３０ｂによって実行させる。これにより状態判定装置３０には、ドライバの状態判定に関連する機能ブロックとして脇見判定器３１、作動情報取得部３２、覚醒度判定器３３、及び注意散漫判定器３４等が構築される。
【００２９】
脇見判定器３１は、ドライバモニタシステム１１から提供される視線及び顔向きの情報を取得し、ドライバが脇見をしているか否かを判定するための情報を生成する。ドライバの見ている位置を簡易的に扱うため、脇見判定器３１には、ドライバ前方の可視範囲を複数（「１」〜「７」）の領域に分割した規定が予め設定されている。
【００３０】
この規定では、例えばウインドシールドの範囲は、水平方向に三分割されて、それぞれ「１」〜「３」の番号が割り振られている。また、ウインドシールドの下側の範囲は、センターコンソールの周辺が「４」とされ、ステアリングホイール周辺が「５」とされている。さらに、ウインドシールドの左右がそれぞれ「６」及び「７」とされている。脇見判定器３１は、視線と顔向きの各情報を統合することにより、予め規定された領域「１」〜「７」のうちで、ドライバがどの領域を見ているのかを判定する。
【００３１】
加えて脇見判定器３１は、正面である「１」〜「３」の領域からドライバの見ている位置（以下、「視線位置」）が継続して外れている場合、正面から外れている時間（以下「脇見固定時間」）を計測する。脇見判定器３１は、ドライバの視線位置を示す番号と、脇見固定時間とを、ドライバの脇見状態を示した脇見情報として、注意散漫判定器３４に提供する。
【００３２】
作動情報取得部３２は、自動運転機能の作動状態を示した作動情報を、自動運転ＥＣＵ２０から取得する。作動情報取得部３２は、取得した作動情報を、覚醒度判定器３３及び注意散漫判定器３４に提供する。
【００３３】
覚醒度判定器３３は、ドライバモニタシステム１１から提供される開眼度の情報、車載装置群１３及びウェアラブルデバイス１９から提供される各種の情報に基づき、ドライバの覚醒度の低下を判定するための情報、具体的には、判定覚醒度を生成する。判定覚醒度は、ドライバの覚醒度が高くなるほど高い値となり、ドライバの覚醒度が低くなるほど低い値となる。
【００３４】
覚醒度判定器３３は、ドライバモニタシステム１１から提供される開眼度の推移から、開閉眼パターン、瞼の開閉時間、及び開眼量を抽出する。覚醒度判定器３３は、瞬目頻度の増加、瞬目における閉眼時間の増加、開眼量の減少等が生じた場合に、ドライバの覚醒度を低く算定する。
【００３５】
加えて覚醒度判定器３３は、車両Ａに入力された運転操作の操作情報に基づいて、覚醒度の低下を判定する。覚醒度判定器３３は、ドライバの運転操作に連動する操作情報、例えば車速及び加速度から推定されるアクセル操作及びブレーキ操作、並びに操舵角から推定されるステアリング操作等の履歴を監視することで、ドライバの運転パターンの変化を検出可能である。
【００３６】
その結果、覚醒度判定器３３は、前走車との車間距離の変化とドライバのアクセル操作及びブレーキ操作の各履歴とを比較することで、車間距離の変化に対するアクセル操作又はブレーキ操作の応答遅れを検出できる。故に、覚醒度判定器３３は、アクセル操作及びブレーキ操作の応答遅れが大きくなるほど、ドライバの覚醒度を低く算定可能となる。
【００３７】
さらに覚醒度判定器３３は、道路形状とドライバのステアリング操作の履歴を比較することで、カーブへの進入時におけるステアリング操作の始動遅れを検出できる。故に、覚醒度判定器３３は、ステアリング操作の始動遅れが大きくなるほど、ドライバの覚醒度を低く算定可能となる。
【００３８】
また覚醒度判定器３３は、直線区間において修正舵の入力頻度が低下するほど、ドライバの覚醒度を低く算定する。さらに、道路形状や車速の推移に基づいて、単調な運転操作が継続していると推定した場合にも、ドライバの覚醒度の低下を推定する。
【００３９】
さらに覚醒度判定器３３は、複雑な道路環境又は道路の混在に起因した運転負荷を推定する。覚醒度判定器３３は、高運転負荷な状態で、運転操作が忙しいはずのシーンにおいて、操作情報に基づくドライバの各操作が不足している場合、又は生体信号に基づき心拍数等が低いままの場合等にて、ドライバの覚醒度を低く算定する。
【００４０】
覚醒度判定器３３は、上記のような各情報を適宜組み合わせることにより、ドライバの覚醒度を定量的に評価した判定覚醒度を取得する。例えば、覚醒度判定器３３は、作動情報取得部３２から取得した作動情報に基づき、自動運転機能が作動している自動運転モードである場合には、覚醒度判定への操作情報の使用を中断し、開眼度及び生体信号等のみを使用して判定覚醒度を算定する。覚醒度判定器３３は、取得した判定覚醒度を、ドライバの覚醒度の低下、維持、上昇等を示した覚醒度情報として、注意散漫判定器３４に提供する。
【００４１】
注意散漫判定器３４は、作動情報取得部３２から提供される脇見情報と、覚醒度判定器３３から提供される覚醒度情報とを組み合わせることにより、ドライバの注意散漫度合いを判定する。注意散漫判定器３４には、注意散漫な度合いを判定するためのサブ機能ブロックとして、脇見情報取得部３５、覚醒度情報取得部３６、判定部３７、及び出力部３８等がさらに構築されている。
【００４２】
脇見情報取得部３５は、ドライバの脇見情報として、視線情報及び脇見固定時間を脇見判定器３１から取得する。覚醒度情報取得部３６は、ドライバの覚醒度情報として、判定覚醒度を覚醒度判定器３３から取得する。
【００４３】
判定部３７は、脇見情報取得部３５の取得する脇見情報に基づき、ドライバにおける脇見の発生を判定する。ドライバに脇見が発生した場合、判定部３７は、覚醒度情報取得部３６の取得する覚醒度情報に基づき、ドライバの脇見の種類を判定する（図２参照）。具体的に、判定部３７は、判定覚醒度が低下していない場合の脇見を、興味本位による脇見と判定する。一方で、判定部３７は、覚醒度が低下している場合の脇見を、退屈による脇見と判定する。
【００４４】
判定部３７は、作動情報取得部３２の取得した作動情報に基づき、自動運転ＥＣＵ２０が自動運転モードである場合には、ドライバが脇見状態であると判定する判定基準を緩和する。加えて判定部３７は、脇見情報に基づき脇見が発生したと判定されていない場合でも、判定覚醒度が低下した場合には、覚醒度の低下により、注意散漫な状態となっていると判定する。
【００４５】
出力部３８は、判定部３７による判定結果を、状態誘導装置７０へ向けて逐次出力する。出力部３８は、興味本位による脇見か退屈による脇見であるかを示す判定結果（以下、「脇見判定結果」）、又は脇見が発生していない場合の覚醒度低下を判定した判定結果（以下、覚醒度判定結果）を、状態誘導装置７０へ提供可能である。
【００４６】
以上の注意散漫判定器３４によって実施される注意散漫度判定処理の詳細を、図４に基づき、図１及び図３を参照しつつ説明する。注意散漫度判定処理は、例えば車両Ａのシフト位置が「Ｄ（ドライブ）」とされ、車両Ａが前方に走行可能な状態とされたことに基づき、開始される。注意散漫度判定処理は、車両Ａのシフト位置が「Ｄ」から変更されるまで、繰り返し開始される。
【００４７】
Ｓ１０１では、脇見判定器３１から脇見情報を取得する。そして、脇見判定器３１から取得される脇見情報に基づき、視線位置が「１」〜「３」の領域、即ち正面から外れているか否かを判定する。Ｓ１０１にて、ドライバの視線位置が「１」〜「３」の領域から外れていると判定した場合、Ｓ１０４に進む。一方で、Ｓ１０１にて、ドライバの視線位置が「１」〜「３」のいずれかの領域にあると判定した場合、Ｓ１０２に進む。
【００４８】
Ｓ１０２では、覚醒度判定器３３から判定覚醒度を取得し、判定覚醒度と、予め設定された平静覚醒度とを比較する。平静覚醒度は、注意散漫な状態のうちで、ドライバの覚醒度の低下が生じているか否かを判定するための閾値である（図２参照）。平静覚醒度は、例えば複数の被験者における覚醒度の低下を客観的に評価した評価データを基に、予め設定されている。Ｓ１０２にて、判定覚醒度が平静覚醒度よりも高いと判定した場合、ドライバの覚醒度が十分に維持された状態であると推定し、Ｓ１０１に戻る。一方で、Ｓ１０２にて、判定覚醒度が平静覚醒度以下であると判定した場合、Ｓ１０３に進む。Ｓ１０３では、ドライバの覚醒度が低下しているという旨の覚醒度判定結果を生成し、Ｓ１０９に進む。
【００４９】
一方、Ｓ１０１にて、ドライバの視線位置が正面にないと判定した場合のＳ１０４では、ドライバが側方を確認している動作中なのか否かを判定する。具体的に、Ｓ１０４にて、視線位置が「６」又は「７」であり、且つ、ターンシグナルが作動している場合には、側方を確認する動作中であると推定し、Ｓ１０１に戻る。一方で、視線位置が「６」又は「７」ではない場合、或いはターンシグナルが作動していない場合には、側方確認の動作中ではないと推定し、Ｓ１０５に進む。
【００５０】
Ｓ１０５では、Ｓ１０１にて取得した脇見情報の示す脇見固定時間と、予め設定された脇見判定時間とを比較する。脇見判定時間は、例えば一定の値であってもよく、又は車両状態に応じて変更される値であってもよい。例えば、脇見判定時間は、車両Ａの車速が高くなるほど、短くされてよい。加えて、自動運転機能が作動している場合には、脇見判定時間を長く調整する制御により、脇見判定の基準が緩和されてよい。Ｓ１０５にて、脇見固定時間が脇見判定時間以下であると判定した場合、脇見が発生していないと判定し、Ｓ１０１に戻る。一方で、Ｓ１０５にて、脇見固定時間が脇見判定時間を超えていると判定した場合、脇見が発生したと判定し、Ｓ１０６に進む。
【００５１】
Ｓ１０６では、Ｓ１０２と同様に覚醒度判定器３３から判定覚醒度を取得し、判定覚醒度と平静覚醒度とを比較する。Ｓ１０６にて、判定覚醒度が平静覚醒度よりも高いと判定した場合、Ｓ１０７に進む。Ｓ１０７では、Ｓ１０５にて発生を判定した脇見について、ドライバの興味本位による脇見である旨の脇見判定結果を生成し、Ｓ１０９に進む。一方で、Ｓ１０６にて、判定覚醒度が平静覚醒度以下であると判定した場合、Ｓ１０８に進む。Ｓ１０８では、Ｓ１０５にて発生を判定した脇見について、ドライバの退屈による脇見である旨の脇見判定結果を生成し、Ｓ１０９に進む。
【００５２】
Ｓ１０９では、Ｓ１０３，Ｓ１０７，及びＳ１０８のいずれか一つの処理にて生成された判定結果を、状態誘導装置７０へ向けて出力し、一連の注意散漫度判定処理を終了する。
【００５３】
図１及び図５に示す状態誘導装置７０は、表示器８０、音声出力器８５、及び触覚提示器８７を用いたアクチュエーションを実行する。状態誘導装置７０は、アクチュエーションの態様をドライバの状態に応じて変更可能である。状態誘導装置７０は、アクチュエーションによってドライバの運転状態を正しい状態に誘導する。
【００５４】
状態誘導装置７０には、アクチュエーション制御部７０ａが設けられている。アクチュエーション制御部７０ａは、ＣＰＵ７０ｂ、ＲＡＭ７０ｃ、及びメモリ７０ｄ等を有するマイクロコンピュータを主体に構成された電子回路である。メモリ７０ｄは、ＣＰＵ７０ｂによる情報の読み取りが可能な非遷移的実体的記録媒体(non-transitory tangible storage medium)である。ＣＰＵ７０ｂは、メモリ７０ｄに記憶された種々のプログラムを実行可能である。
【００５５】
状態誘導装置７０は、メモリ７０ｄに記憶された状態誘導プログラムをＣＰＵ７０ｂによって実行させる。これにより状態誘導装置７０には、ドライバの状態誘導に関連する機能ブロックとして、判定結果取得部７１、作動情報取得部７２、第一実施部７３、第二実施部７４、及び第三実施部７５等が構築される。
【００５６】
判定結果取得部７１は、ドライバの脇見について、興味本位による脇見か退屈による脇見であるかを示した脇見判定結果を、出力部３８（図３参照）から取得する。加えて判定結果取得部７１は、脇見をしていないドライバについての覚醒度の低下を示した覚醒度判定結果を、出力部３８からさらに取得する。
【００５７】
作動情報取得部７２は、状態判定装置３０の作動情報取得部３２（図３参照）と同様に、自動運転機能の作動状態を示した作動情報を、自動運転ＥＣＵ２０から取得する。作動情報取得部７２は、自動運転機能の作動情報を、主に第一実施部７３に提供する。
【００５８】
第一実施部７３は、判定結果取得部７１の取得した脇見判定結果に基づき、ドライバが興味本位による脇見をした場合に、第一アクチュエーションを実施する。第一アクチュエーションは、ドライバの視線を特定の方向（例えば正面）に誘導する。第一アクチュエーションは、後述する第二，第三アクチュエーションよりも、ドライバの意識を刺激しにくい態様とされている。加えて第一実施部７３は、作動情報に基づき、自動運転機能がドライバの運転操作を代行する自動運転モードである場合に、第一アクチュエーションの実施を中断する。これにより、自動運転機能によって車両Ａが走行しているうちは、覚醒度を維持しているドライバが脇見をしても、アクチュエーションは、実施されない。
【００５９】
第二実施部７４は、判定結果取得部７１の取得した脇見判定結果に基づき、ドライバが退屈による脇見をした場合に、第二アクチュエーションを実施する。第二アクチュエーションは、第一アクチュエーションと同様にドライバの視線を特定の方向に誘導する。加えて第二アクチュエーションは、第一アクチュエーションよりもドライバの意識を刺激することで、覚醒度を高い状態に誘導する。
【００６０】
第三実施部７５は、判定結果取得部７１の取得した覚醒度判定結果に基づき、脇見をしていないドライバの覚醒度が注意散漫な状態まで低下した場合に、第三アクチュエーションを実施する。第三アクチュエーションは、第一アクチュエーションよりもドライバの意識を刺激する態様で実施され、第二アクチュエーションと同様に、ドライバの意識を覚醒度の高い状態に誘導できる。
【００６１】
以上の状態誘導装置７０によって実施される誘導判定処理の詳細を、図６に基づき、図１及び図５を参照しつつ説明する。誘導判定処理は、注意散漫度判定処理（図４参照）と同様に、車両Ａのシフト位置が「Ｄ」とされたことに基づいて開始され、シフト位置が「Ｄ」から変更されるまで、繰り返し開始される。
【００６２】
Ｓ１２１では、状態判定装置３０から提供される脇見判定結果又は覚醒度判定結果を取得する処理を行う。そして、脇見判定結果及び覚醒度判定結果のいずれかを取得できたか否かを判定する。Ｓ１２１にて、いずれの判定結果も取得していないと判定した場合、Ｓ１２１を繰り返し、判定結果の取得を待機する。そして、脇見判定結果及び覚醒度判定結果のいずれか一方の取得により、Ｓ１２１からＳ１２２に進む。
【００６３】
状態判定装置３０から取得した判定結果が興味本位による脇見の発生を示した脇見判定結果である場合に、Ｓ１２２からＳ１２３に進む。Ｓ１２３では、第一アクチュエーションの実施を決定し、一連の誘導判定処理を終了する。Ｓ１２３により、第一実施部７３による第一アクチュエーションが実行される。
【００６４】
一方、状態判定装置３０から取得した判定結果が退屈よる脇見の発生を示した脇見判定結果である場合、Ｓ１２２及びＳ１２４の判定を経て、Ｓ１２５に進む。Ｓ１２５では、第二アクチュエーションの実施を決定し、一連の誘導判定処理を終了する。Ｓ１２５により、第二実施部７４による第二アクチュエーションが実行される。
【００６５】
さらに、状態判定装置３０から取得した判定結果がドライバの注意散漫状態を示す覚醒度判定結果である場合、Ｓ１２２，Ｓ１２４，及びＳ１２６の判定を経て、Ｓ１２７に進む。Ｓ１２７では、第三アクチュエーションの実施を決定し、一連の誘導判定処理を終了する。Ｓ１２７により、第三実施部７５による第三アクチュエーションが実行される。尚、Ｓ１２６の判定は、省略されてもよい。
【００６６】
次に、各実施部７３〜７５によって実施されるアクチュエーションの詳細を図７〜図１０に基づき、図５を参照しつつ説明する。
【００６７】
図７及び図１０に示す第一アクチュエーションでは、脇見をしたドライバの視線を特定の位置（例えば、正面）へ誘導するための情報提示が行われる。第一アクチュエーションが実施される場面では、ドライバの意識は、覚醒状態であると推定されている。故に、第一アクチュエーションは、ドライバの意識を刺激することなく、ドライバにとって煩わしくないようにする、という方針で行われる。
【００６８】
第一アクチュエーションでは、音声出力器８５は、第一誘導音を再生する。音声出力器８５は、ドライバの視線を誘導したい誘導先（例えば正面）から第一誘導音が聞こえるように、各スピーカを制御して仮想の音源をドライバに認識させる。第一誘導音の音量は、第二アクチュエーションにて音声出力器８５が再生する第二誘導音の音量よりも小さくされる。この第一誘導音は、例えば音楽等のコンテンツであって、第二誘導音よりもリズムの遅いコンテンツとされている。加えて、第一誘導音の音程は、第二誘導音の音程よりも低く設定されている。以上のように、第一誘導音は、ドライバに刺激を与え難いような内容とされている。
【００６９】
第一アクチュエーションでは、脇見をしたドライバの視線を誘導する視線誘導アニメーションがコンテンツとして表示器８０に表示される。この視線誘導アニメーションにて表示器８０に表示される第一表示物６１の顕著性は、第二アクチュエーションにて表示器８０に表示される第二表示物６２（図８参照）の顕著性よりも低く設定されている。その結果、第一表示物６１の視認性は、第二表示物６２の視認性よりも低くなっている。
【００７０】
第一アクチュエーションでの視線誘導アニメーションは、例えば矢印状の画像を、センターディスプレイ８１、ルームミラーモニタ８３、及びミラーインジケータ８４等に表示させ、これら矢印状の画像を移動又は点滅させる動画である。各矢印状の画像の先端は、ドライバの視線を誘導したい誘導先へ向けられている。
【００７１】
第一アクチュエーションでの触覚提示器８７による情報提示は、例えばステア振動部を振動させることによって実施される。第一アクチュエーションおけるステア振動部の振動は、後述する第二，第三アクチュエーションでのステア振動部の振動よりも弱くされている。尚、運転席に埋め込まれたシート振動部は、第一アクチュエーションでは使用されない。
【００７２】
図８及び図９に示す第二，第三アクチュエーションでは、ドライバの意識を覚醒状態に誘導するか、又は休憩に移行させるための情報提示が行われる。第二，第三アクチュエーションが実施される場合、ドライバの覚醒度は低下していると推定されている。故に、第二，第三アクチュエーションは、強調された音、表示、及び振動等を用いてドライバに現在の状態を強くアピールすることで、ドライバの意識を積極的に刺激する、という方針で行われる。
【００７３】
図８及び図１０に示す第二アクチュエーションにて音声出力器８５が再生する第二誘導音の音量は、第一誘導音の音量よりも大きくされる。第二誘導音は、第一誘導音と同様に、視線の誘導先となる方向からドライバに聞こえてくるよう、車室内に再生される。第二誘導音は、例えば警告音等のコンテンツである。第二誘導音には、第一誘導音よりもリズムの速い音源であって、第一誘導音よりも音程の高い音源が用いられている。以上のように、第二誘導音は、ドライバに警戒感を惹起させ易い内容とされている。
【００７４】
第二アクチュエーションでは、第一アクチュエーションとは異なった内容の視線誘導アニメーションが表示器８０に表示される。第二アクチュエーションの視線誘導アニメーションにて表示される第二表示物６２のサイズ及び動きは、第一表示物６１（図７参照）よりも大きく設定されている。第二表示物６２は、例えば投影領域８２ａ、ルームミラーモニタ８３、及びセンターディスプレイ８１に跨った同心楕円状の画像である。各楕円の中心は、ドライバの視線を誘導したい誘導先に設定されている。視線誘導アニメーションでは、例えば個々の楕円を中心へ向けて連続的に縮小させることにより、ドライバの視線を中心へ誘導する。以上のように、第二アクチュエーションの視線誘導アニメーションでは、第一表示物６１よりも顕著性及び視認性の高い第二表示物６２を大きく動かすことにより、ドライバの視線の誘導だけでなく、意識の誘導も行う。
【００７５】
第二アクチュエーションでの触覚提示器８７による情報提示は、ステア振動部及びシート振動部を共に振動させることによって実施される。各振動部の振動の強さは、第一アクチュエーションでのステア振動部の振動よりも強く設定されている。触覚提示器８７は、各振動部の振動によってドライバに刺激を与えて、覚醒度を向上させる。
【００７６】
図９及び図１０に示す第三アクチュエーションでは、第二アクチュエーションと同様に、音声出力器８５は、第二誘導音を再生する。加えて触覚提示器８７は、ステア振動部及びシート振動部を強く振動させる。一方、第三アクチュエーションでは、第三表示物６３として、ドライバの状態通知又は警告、或いは休憩を要求するアイコンがセンターディスプレイ８１及び投影領域８２ａ等に表示される。第三表示物６３である各アイコンは、第二表示物６２（図８参照）と同様に、第一表示物６１（図７参照）よりも大きなサイズで表示され、且つ、第一表示物６１よりも顕著性及び視認性の高い形態とされている。尚、第三表示物６３である各アイコンは、第二表示物６２の一部として視線誘導アニメーションと共に、又は視線誘導アニメーションの合間に、センターディスプレイ８１又は投影領域８２ａ等に表示されてよい。
【００７７】
ここまで説明した第一実施形態では、注意散漫となったドライバが脇見を行った場合に、脇見情報と覚醒度情報とが組み合わされることにより、興味本位による脇見と退屈による脇見とが判別される。このような脇見の判定結果が状態誘導装置７０に出力されれば、状態誘導装置７０は、アクチュエーションの態様を変更することで、ドライバの覚醒度を適確に高めることができる。したがって、状態判定装置３０は、ドライバにおける注意散漫の状態を適確に判定し、適切な態様でのアクチュエーションの実施に寄与できる。
【００７８】
加えて第一実施形態では、ドライバによる運転操作の操作情報に基づき、ドライバの覚醒度の低下が判定される。このように、運転操作には、覚醒度の低下に起因した特徴的な変化が現出する。故に、アクセル操作、ブレーキ操作、ステアリング操作等の操作情報の履歴を用いることにより、運転パターンの変化からドライバの覚醒度の低下を精度良く判定することが可能となる。
【００７９】
また第一実施形態では、自動運転機能が作動している場合には、覚醒度の低下判定への操作情報の使用が中断される。このように、自動運転機能が作動している場合の操作情報には、ドライバの状態は実質的に影響しなくなる。故に、覚醒度判定への操作情報の使用を中止することで、自動運転中においても、ドライバの覚醒度の低下は、精度良く判定され得る。
【００８０】
さらに第一実施形態では、自動運転機能が作動している場合には、ドライバが脇見状態であると判定する判定基準が緩和される。その結果、第一アクチュエーション及び第二アクチュエーションは、発生し難くされる。以上によれば、自動運転中の車両Ａにて、運転操作から解放されているドライバに対し頻繁に実施されるアクチュエーションが、ドライバに煩わしく感じられる事態は、防がれ得る。また、覚醒度が低下した場合には、確実にアクチュエーションが実施される。故に、ドライバを運転交代可能な状態に維持させる効果は、確実に発揮される。
【００８１】
尚、第一実施形態では、脇見判定器３１及び脇見情報取得部３５が「脇見情報取得部」に相当し、覚醒度判定器３３及び覚醒度情報取得部３６が「覚醒度情報取得部」に相当する。また、状態判定装置３０が「ドライバ状態判定装置」に相当し、ＣＰＵ３０ｂが「プロセッサ」に相当し、状態誘導装置７０が「アクチュエーション機能部」に相当する。
【００８２】
（第二実施形態）
図１１及び図１２に示す本開示の第二実施形態は、第一実施形態の変形例である。第二実施形態のアクチュエーション装置２１０は、第一実施形態の状態判定装置３０（図１参照）及び状態誘導装置７０（図１参照）の両方の機能を統合した電子制御装置である。アクチュエーション装置２１０には、少なくとも一つのＣＰＵ２１０ｂ、ＲＡＭ２１０ｃ、及びメモリ２１０ｄ等を有する処理部２１０ａ等が設けられている。メモリ２１０ｄは、ＣＰＵ２１０ｂによる情報の読み取りが可能な非遷移的実体的記録媒体(non-transitory tangible storage medium)である。ＣＰＵ２１０ｂは、メモリ２１０ｄに記憶された状態判定プログラム及び状態誘導プログラムを実行可能である。
【００８３】
状態判定プログラムの実行によれば、アクチュエーション装置２１０には、第一実施形態と実質同一の脇見判定器３１、覚醒度判定器３３、及び注意散漫判定器３４と、作動情報取得部２３２とが少なくとも構築される。注意散漫判定器３４には、脇見情報取得部３５、覚醒度情報取得部３６、判定部３７、及び出力部３８が含まれている。作動情報取得部２３２は、第一実施形態の作動情報取得部３２（図３参照）に相当し、自動運転ＥＣＵ２０から取得した作動情報を注意散漫判定器３４及び状態誘導器２７０に出力する。
【００８４】
また、状態誘導プログラムの実行によれば、アクチュエーション装置２１０には、状態誘導器２７０が少なくとも構築される。状態誘導器２７０には、第一実施形態と実質同一の判定結果取得部７１、第一実施部７３、第二実施部７４、及び第三実施部７５が含まれている。
【００８５】
ここまで説明した第二実施形態のように、ドライバ状態の判定と誘導の各機能が一つのアクチュエーション装置２１０によって実現された形態であっても、第一実施形態と同様の効果を奏することが可能である。したがって、アクチュエーション装置２１０は、ドライバにおける注意散漫の状態を適確に判定し、適切な態様でアクチュエーションを実施できる。尚、第二実施形態では、アクチュエーション装置２１０が「ドライバ状態判定装置」に相当し、ＣＰＵ２１０ｂが「プロセッサ」に相当し、状態誘導器２７０が「アクチュエーション機能部」に相当する。
【００８６】
（第三実施形態）
図１３に示す本開示の第三実施形態は、第一実施形態の別の変形例である。第三実施形態による状態判定装置３３０は、第一実施形態のドライバモニタシステム１１（図１参照）に相当するドライバモニタシステム３１１と接続されている。ドライバモニタシステム３１１には、第一実施形態の脇見判定器３１（図３参照）と実質同一の機能を備えた脇見判定回路３３１が設けられている。脇見判定回路３３１は、視線及び顔向きの情報を用いて、ドライバの視線位置を示す番号と脇見固定時間とを少なくとも含む脇見情報を生成し、状態判定装置３３０に提供する。加えてドライバモニタシステム３１１は、ドライバの開眼度を示す情報を生成し、状態判定装置３３０に提供する。
【００８７】
状態判定装置３３０は、ＣＰＵ３０ｂ（図１参照）による状態判定プログラムの実行により、第一実施形態と実質同一の作動情報取得部３２、覚醒度判定器３３、注意散漫判定器３４等を構築する。注意散漫判定器３４には、脇見情報取得部３５、覚醒度情報取得部３６、判定部３７、及び出力部３８が含まれている。一方で、状態判定装置３３０には、第一実施形態の脇見判定器３１（図３参照）に相当する機能ブロックは構築されない。
【００８８】
覚醒度判定器３３は、脇見判定回路３３１から取得したドライバの開眼度を示す情報を、車載装置群１３及びウェアラブルデバイス１９から取得する各種の情報と共に、ドライバの判定覚醒度の算定に使用する。注意散漫判定器３４は、脇見情報取得部３５により、脇見判定回路３３１から脇見情報を取得可能である。注意散漫判定器３４は、判定部３７にて脇見判定結果又は覚醒度判定結果を生成し、出力部３８から状態誘導装置７０へ向けて判定結果を出力する。
【００８９】
ここまで説明した第三実施形態のように、脇見情報の生成は、状態判定装置３３０にて実施されなくてもよい。状態判定装置３３０は、脇見情報を取得できれば、第一実施形態と同様に、脇見判定結果又は覚醒度判定結果を生成できる。したがって、第三実施形態の状態判定装置３３０であっても、ドライバにおける注意散漫の状態を適確に判定し、適切な態様でのアクチュエーションの実施に寄与できる。尚、第三実施形態では、脇見情報取得部３５のみが「脇見情報取得部」に相当し、状態判定装置３３０が「ドライバ状態判定装置」に相当する。
【００９０】
（他の実施形態）
以上、本開示による複数の実施形態について説明したが、本開示は、上記実施形態に限定して解釈されるものではなく、本開示の要旨を逸脱しない範囲内において種々の実施形態及び組み合わせに適用することができる。
【００９１】
上記実施形態の状態判定装置は、覚醒度判定器を備えることで、操作情報等からドライバの覚醒度を判定して、覚醒度情報を生成可能であった。しかし、覚醒度情報の生成は、状態判定装置で実施されなくてもよい。状態判定装置は、他の車載装置等から覚醒度情報を取得できれば、上記実施形態と同様に、脇見判定結果又は覚醒度判定結果を生成可能となる。
【００９２】
上記実施形態の状態判定装置は、車両に搭載された自動運転ＥＣＵと連携可能であり、自動運転中に脇見の判定基準を緩和する等、制御内容を変更していた。しかし、状態判定装置は、自動運転ＥＣＵと連携しない構成であってもよい。状態判定装置は、自動運転機能を搭載していない車両に搭載されて、注意散漫状態となったドライバの脇見の種類を判別可能である。
【００９３】
上記実施形態では、ドライバの前方領域を複数の領域に分割し、各領域の番号でドライバの視線位置を特定するルールが脇見判定器に設定されていた。このように脇見判定器に予め設定された視線位置の特定手法は、適宜変更可能である。また、前方領域を分割する仕方も、適宜変更可能である。例えば、ウインドシールドの範囲は、水平方向だけでなく、上下方向にも分割可能である。このような領域の設定方法であれば、例えば横方向の脇見の検出だけでなく、縦方向の脇見の検出も可能になり得る。
【００９４】
本開示のドライバ状態判定プログラムを実施する機能部は、上述の構成とは異なるハードウェア及びソフトウェア、或いはこれらの組み合わせによっても提供可能である。例えば、ドライバモニタシステムに設けられた処理回路により、注意散漫状態での脇見の種類を判定するドライバの状態判定方法が実施されてもよい。
【００９５】
また、ドライバ状態判定プログラムを格納する記憶媒体は、フラッシュメモリ等の半導体メモリ等であってもよく、又はハードディスクドライブ等の記憶装置であってもよい。さらに、記憶媒体は、状態判定装置に内蔵された構成であってもよく、又はメモリカード等の形態で提供され、状態判定装置に設けられたカードスロットに挿入される構成であってもよい。
【符号の説明】
【００９６】
Ａ  車両、２１０  アクチュエーション装置（ドライバ状態判定装置）、３０，３３０  状態判定装置（ドライバ状態判定装置）、３０ｂ，２１０ｂ  ＣＰＵ（プロセッサ）、３１  脇見判定器（脇見情報取得部）、３２，２３２  作動情報取得部、３３  覚醒度判定器（覚醒度情報取得部）、３５  脇見情報取得部、３６  覚醒度情報取得部、３７  判定部、３８  出力部、７０  状態誘導装置（アクチュエーション機能部）、２７０  状態誘導器（アクチュエーション機能部）
【図１】
2018013811.tif 000003
【図２】
2018013811.tif 000004
【図３】
2018013811.tif 000005
【図４】
2018013811.tif 000006
【図５】
2018013811.tif 000007
【図６】
2018013811.tif 000008
【図７】
2018013811.tif 000009
【図８】
2018013811.tif 000010
【図９】
2018013811.tif 000011
【図１０】
2018013811.tif 000012
【図１１】
2018013811.tif 000013
【図１２】
2018013811.tif 000014
【図１３】
2018013811.tif 000015